(57)【要約】【課題】本発明はモバイル広告提供システムを提供する。【解決手段】モバイル広告提供システムは、ユーザの予め定められたアクションを認識するモバイル端末と、モバイル端末で駆動され、モバイル端末に表示されるコンテンツを認知及び分析してコンテンツと関連するキーワード情報を抽出するキーワード抽出部と、キーワード抽出部から抽出したキーワード情報を情報検索中継サーバに伝送するキーワード伝送部と、ユーザの予め定められたアクションの入力に応答して情報検索中継サーバに前記キーワード関連の情報を要請し、情報検索中継サーバからキーワード関連の情報を受信する情報受信部と、情報受信部で受信した前記キーワード関連の情報を前記モバイル端末のディスプレイ画面に情報を出力する情報出力部と、を含む。【選択図】図２
2020173855.tif 000002
【特許請求の範囲】
【請求項１】
ユーザの予め定められたアクションを認識するモバイル端末と、
前記モバイル端末で駆動され、前記モバイル端末に表示されるコンテンツを認知及び分析して前記コンテンツと関連するキーワード情報を抽出するキーワード抽出部と、
前記キーワード抽出部から抽出したキーワード情報を情報検索中継サーバに伝送するキーワード伝送部と、
前記ユーザの予め定められたアクションの入力に応答して前記情報検索中継サーバに前記キーワード関連の情報を要請し、前記情報検索中継サーバから前記キーワード関連の情報を受信する情報受信部と、
前記情報受信部で受信した前記キーワード関連の情報を前記モバイル端末のディスプレイ画面に情報を出力する情報出力部と、
を含むモバイル広告提供システム。
【請求項２】
前記ユーザの予め定められたアクションは、前記モバイル端末の予め定められた領域に前記ユーザがアクションを加えることを特徴とする請求項１に記載のモバイル広告提供システム。
【請求項３】
前記モバイル端末の予め定められた領域にソフトウェア的な情報表示ボタンが形成され、
前記ユーザの予め定められたアクションは、前記ユーザが前記ソフトウェア的な情報表示ボタンを選択することを含むことを特徴とする請求項２に記載のモバイル広告提供システム。
【請求項４】
前記ユーザの予め定められたアクションは、前記ユーザが前記モバイル端末に対して行う予め定められた動きを含むことを特徴とする請求項１に記載のモバイル広告提供システム。
【請求項５】
前記ユーザの予め定められたアクションは、前記ユーザが前記モバイル端末に行う予め定められた方向への動き又は予め定められた回数の動きを含むことを特徴とする請求項４に記載のモバイル広告提供システム。
【請求項６】
前記キーワード伝送部は、前記モバイル端末に表示されるコンテンツを前記情報検索中継サーバに更に伝送し、
前記モバイル端末に表示されるコンテンツは、前記モバイル広告提供システムと別途のウェブサイト又はアプリケーションによるものであり、
前記情報検索中継サーバは、前記モバイル端末に表示されるコンテンツに対して前記ユーザが他のユーザと情報を共有するコミュニティサービス情報を前記情報受信部に提供し、
前記情報出力部から出力された情報は、前記モバイル端末に表示されるコンテンツに対して前記ユーザが他のユーザと情報を共有するコミュニティサービス情報を更に含むことを特徴とする請求項１〜５の何れか１項に記載のモバイル広告提供システム。
【請求項７】
前記情報出力部から出力される前記キーワード関連の情報は、広告情報又はショッピング情報のうちの少なくとも１つを更に含むことを特徴とする請求項６に記載のモバイル広告提供システム。
【請求項８】
コミュニティサービスはソーシャルネットワークサービスであり、
前記コミュニティサービス情報は、前記モバイル端末に表示されるコンテンツ情報、前記モバイル端末に表示されるコンテンツに関するメモ情報及び前記モバイル端末に表示されるコンテンツに関する意見情報のうちの少なくとも１つを含むことを特徴とする請求項６に記載のモバイル広告提供システム。
【請求項９】
前記情報出力部は、前記モバイル端末のディスプレイ画面にナビゲーション領域を更に出力し、
前記ナビゲーション領域は、前記ユーザが前記モバイル端末に表示されるコンテンツに関する情報又は前記モバイル端末に出力される前記キーワード関連の情報を他のユーザと共有するようにする機能を選択できるように構成されることを特徴とする請求項１に記載のモバイル広告提供システム。
【請求項１０】
前記情報検索中継サーバは、
広告主により登録された広告情報と前記広告情報に該当するキーワードを格納し、
前記情報受信部から前記キーワード関連の情報を要請されることによって前記キーワード抽出部から抽出されたキーワードに対応する広告主のキーワードを検索して前記広告主の広告情報を前記キーワード関連の情報として前記情報受信部に提供するように構成されることを特徴とする請求項１に記載のモバイル広告提供システム。
【請求項１１】
前記キーワード抽出部は、前記ユーザが前記コンテンツのうちに一部をドラッグした情報に対するキーワードを更に抽出し、
前記情報出力部で前記ユーザがドラッグした情報に対する関連情報を更に出力することを特徴とする請求項１に記載のモバイル広告提供システム。
【発明の詳細な説明】
【技術分野】
【０００１】
本発明は、モバイル広告提供システムに関し、情報表示ボタンを備え、情報表示ボタンの操作に応答して現在の画面に提供されるコンテンツと広告情報を表示するモバイル広告提供システム及びその方法に関する。
【背景技術】
【０００２】
近年、モバイルで本を購入してオフライン書店で受け取り、モバイルでタクシーを呼び、飲食店で食事した後にモバイルで決済を行う。テレビを見ながらＳＮＳをやったり、モバイルショッピングをする姿は最近よく目にする。このように多くの人がオンラインとオフラインを行き来して媒体を利用する中心には「モバイル」があり、モバイルが我々の生活に密接に関わるにつれ、モバイル広告技術への関心が高まっている。
【０００３】
既存のモバイルで提供する広告は、中間の領域を利用したり、ポップアップやモバイルの上／下端などの領域を利用して広告が出てくる形態で提供しており、このような広告の導出方式はユーザがコンテンツに集中するのに妨げとなり、時にはコンテンツの内容と全く関係のない広告により混乱を起こし得る。
【０００４】
前記のような理由により広告遮断技術が増えている。グーグル（登録商標）、アップル（登録商標）などの機器メーカー、運用ソフトウェア会社で広告遮断アプリケーションを提供したり、オペレーティングシステムに広告遮断機能を搭載して提供しており、欧州の一部の移動体通信会社もイスラエルのスタートアップ企業「シャイン（Ｓｈｉｎｅ）」の技術を活用してモバイルアプリケーションから全ての広告を消す機能を携帯電話の加入者に提供するなどにより、広告によるユーザの疲れを軽減させる努力を続けている。
【０００５】
しかし、広告遮断は、オンライン広告を主な収益源とするインターネット業界に及ぼす影響が大きい。一例として、グーグル（登録商標）やマイクロソフト（登録商標）、アマゾン（登録商標）などは広告遮断名簿から外してもらう見返りとしてドイツのスタートアップ企業である「アイオー（Ｅｙｅｏ）」にお金を払っていることが報じられている。「アイオー」は、世界中で最も広く用いられている広告遮断プログラムであるアドブロックプラスの開発元である。また、移動体通信事業者が広告遮断を基本として提供しようとする背景には、グーグル（登録商標）など情報技術（ＩＴ）企業からお金を受け取ろうとする意図があるものと見ている。通信事業者らは、デジタルコンテンツ事業の主導権をグローバルＩＴ企業に奪われ、単にインターネット網のみ提供する役割のためであるという分析がある。こうした理由から、アップル（登録商標）が広告遮断機能の提供に乗り出したのも交渉力を高めるための戦略であるという分析がある。このような理由から、グローバル企業による主導的な広告コンテンツを通した動きは、他の少数の企業が被害を被るため、統合的な広告プラットフォームを要求する傾向にある。
【０００６】
従来は、下記特許文献１の「ユーザの利用形態を利用したモバイル広告方法及びシステム」は、ユーザの利用形態を分析してターゲットされた広告を提供し、ポップアップ広告又はプッシー広告形態で提供する方法を開示している。
【０００７】
前記先行技術は、ユーザの利用形態を利用してポップアップ又はプッシー広告形態で提供する構成を含んでいるが、ユーザが所望しない場合にも広告を見るようになっており、ユーザが必要な場合にのみ広告が見られることは不可能であった。
【０００８】
従って、ユーザが広告やショッピングなどといった特定情報の閲覧を所望する場合に、既存のコンテンツ画面をそのまま維持しながら、新しい画面を開いて広告やショッピングなどのような特定情報を別途に見られるモバイル広告提供システム技術が必要である。
【先行技術文献】
【特許文献】
【０００９】
【特許文献１】韓国登録特許第１０-１５０３３４８号
【発明の概要】
【発明が解決しようとする課題】
【００１０】
そこで、本発明は上記事情に鑑みてなされたものであって、その目的は、ユーザに情報表示ボタンの操作により広告を提供することによって、ユーザが所望する時間にユーザの所望する情報を直ちに提供することにある。
【００１１】
本発明の他の目的は、情報表示ボタンに広告表示ボタン及びショッピング表示ボタンを備えることによって、ユーザが所望する現在見ているコンテンツ画面を維持しながら、ユーザに所望する情報を直ちに提供することにある。
【００１２】
本発明の更に他の目的は、あらゆるモバイル端末に別途の操作ボタン又はタッチセンサ付きの装置、別途のディスプレイなどのような装置を介してユーザがいつでも所望の情報を呼び出せる別途の操作装置を備えることにある。
【００１３】
本発明の別の目的は、モバイル端末の基本ディスプレイ画面ではない別途のディスプレイが上面又は側面に配置され、別途のディスプレイは広告表示ボタン及びショッピング表示ボタンを含む情報表示ボタンを出力し、ユーザのタッチ入力を受信することにより、ユーザに所望する情報を直ちに提供することにある。
【００１４】
本発明の他の目的は、モバイル端末の上／下端と左右側の枠に物理的なボタンを取り付けて広告情報やショッピング情報などの特定情報を表示できるようにする機能を活用することにある。
【００１５】
本発明の別の目的は、モバイル端末の上端ベゼル又は下端ベゼル部分に広告情報ランプ及びショッピング情報ランプを備え、情報出力部は、出力された情報が広告情報か、ショッピング情報かを広告情報ランプ及びショッピング情報ランプにそれぞれ表示するようにすることにより、ユーザがより便利に現在見ている情報が広告情報か、ショッピング情報かについて迅速に判断できるようにすることにある。
【００１６】
本発明の他の目的は、情報検索中継サーバが出力部から出力される表示情報及びリンク情報を含む広告情報及びショッピング情報を広告主より直接入力を受けることにより、広告主が仲介業者を経ず、広告情報及びショッピング情報を提供できるようにすることにある。
【００１７】
本発明の別の目的は、広告主に入力を受けた広告情報及びショッピング情報を検証することにより、ユーザにより正確な広告情報及びショッピング情報を提供できるようにすることにある。
【００１８】
本発明の他の目的は、表示情報とリンク情報が一致するか否かを確認することにより、ユーザにより正確な広告情報及びショッピング情報を提供できるようにすることにある。
【００１９】
本発明の別の目的は、出力された広告情報及びショッピング情報のうちに削除しようとする情報をユーザが選択して削除し、削除理由を入力してもらうことにより、ユーザが所望しない情報を直ちに提供されないことができ、多数のユーザに削除理由を入力してもらうことにより、ユーザにより正確な情報を提供できるようにすることにある。
【００２０】
本発明の他の目的は、入力された削除理由及び削除回数情報に基づいて広告情報及びショッピング情報を遮断するか否かを決定することにより、ユーザにより正確な情報を提供できるようにすることにある。
【００２１】
本発明の別の目的は、モバイル端末のディスプレイ画面を分割するか、ポップアップ画面を構成してコンテンツの出力を維持しながら、キーワード関連の情報を出力することにより、ユーザが現在見ているコンテンツと所望の情報を共に見られる利便さを提供できるようにすることにある。
【００２２】
本発明の他の目的は、コンテンツのうちにモバイル端末画面に表示されている一部に関するキーワードを抽出し、モバイル端末のディスプレイ画面に表示されているコンテンツの一部が変更される場合、変更されたコンテンツの一部に関するキーワードを抽出して情報出力部から出力された分割画面又はポップアップ画面にキーワード関連の情報を出力することにより、ユーザが気になる情報を別途に検索せず、リアルタイムで所望の情報をより便利に提供できるようにすることにある。
【課題を解決するための手段】
【００２３】
このような目的を達成するために、本発明の一実施形態に係るモバイル広告提供システムは、情報表示ボタンを備えるモバイル端末と、前記モバイル端末で駆動され、前記モバイル端末に表示されるコンテンツを認知し、前記コンテンツを分析して前記コンテンツと関連するキーワード情報を抽出するキーワード抽出部と、前記キーワード抽出部から抽出したキーワード情報を情報検索中継サーバに伝送するキーワード伝送部と、前記情報表示ボタンの入力に応答して前記情報検索中継サーバに前記キーワード関連の情報を要請し、前記情報検索中継サーバから前記キーワード関連の情報を受信する情報受信部と、前記情報受信部で受信した前記キーワード関連の情報を前記モバイル端末のディスプレイ画面に情報を出力する情報出力部と、前記情報出力部から出力された情報を管理する情報管理部と、を含んで構成される。
【００２４】
また、前記情報出力部から出力された情報は、広告情報又はショッピング情報であり、前記情報表示ボタンは、広告表示ボタン及びショッピング表示ボタンからなるもので構成されることができる。
【００２５】
更に、前記モバイル端末は、上端ベゼル又は下端ベゼル部分に広告情報ランプ及びショッピング情報ランプを備え、前記情報出力部は、出力された情報が広告情報か、ショッピング情報かを前記広告情報ランプ及び前記ショッピング情報ランプにそれぞれ表示するように制御することを含んで構成される。
【００２６】
また、前記情報検索中継サーバは、前記広告情報及びショッピング情報を広告主から直接入力を受け、前記入力された広告情報及びショッピング情報は、前記情報出力部から出力される表示情報及びリンク情報を含んで構成される。
【００２７】
更に、前記情報出力部は、前記モバイル端末のディスプレイ画面を分割するか、ポップアップ画面を構成して前記コンテンツの出力を維持しながら、前記キーワード関連の情報を出力することを含んで構成される。
【００２８】
また、前記キーワード抽出部は、前記コンテンツのうちに前記モバイル端末のディスプレイ画面に表示されている一部に関するキーワードを抽出し、前記モバイル端末のディスプレイ画面に表示されている前記コンテンツの一部が変更される場合、変更されたコンテンツの一部に関するキーワードを抽出し、前記情報出力部から出力された前記分割画面又はポップアップ画面に前記キーワード関連の情報を出力することを含んで構成される。
【００２９】
更に、前記ユーザ検索部は、前記抽出されたキーワードに対してユーザが検索できる機能であり、前記コンテンツから抽出されたキーワードとキーワードに割り当てられた情報カテゴリー、カテゴリーと連結されて情報を組み合わせたキュレーション情報、他のユーザにより定義されたキーワードなどを検索できる機能を含んで構成される。
【発明の効果】
【００３０】
本発明によれば、ユーザに情報表示ボタンの操作により広告を提供することにより、ユーザが所望する時間にユーザが所望する情報を直ちに提供できる。
【００３１】
本発明は、情報表示ボタンに広告表示ボタン及びショッピング表示ボタンを備えることにより、ユーザが所望する現在見ているコンテンツ画面を維持しながら、ユーザに所望する付加情報を直ちに提供できる。
【００３２】
本発明は、モバイル端末の基本ディスプレイ画面ではない別途のディスプレイが上面又は側面に配置され、別途のディスプレイは広告表示ボタン及びショッピング表示ボタンを含む情報表示ボタンを出力し、ユーザのタッチ入力を受信することにより、ユーザに所望する情報を直ちに提供できる。
【００３３】
本発明は、モバイル端末に広告情報ランプ及びショッピング情報ランプを備え、情報出力部は出力された情報が広告情報か、ショッピング情報かを広告情報ランプ及びショッピング情報ランプにそれぞれ表示することにより、ユーザがより便利に現在見ている情報が広告情報か、ショッピング情報かを迅速に判断できる。
【００３４】
本発明は、情報検索中継サーバが出力部から出力される表示情報及びリンク情報を含む広告情報及びショッピング情報を広告主から直接入力を受けることにより、広告主が仲介業者を経ず、広告情報及びショッピング情報を提供できる。
【００３５】
本発明は、広告主に入力を受けた広告情報及びショッピング情報を検証することにより、ユーザにより正確な広告情報及びショッピング情報を提供できる。
【００３６】
本発明は、表示情報とリンク情報が一致するか否かを確認することにより、ユーザにより正確な広告情報及びショッピング情報を提供できる。
【００３７】
本発明は、出力された広告情報及びショッピング情報のうちに削除しようとする情報をユーザが選択して削除し、削除理由を入力してもらうことにより、ユーザが所望しない情報を直ちに提供されないことができ、多数のユーザに削除理由を入力してもらうことにより、ユーザにより正確な情報を提供できる。
【００３８】
本発明は、入力された削除理由及び削除回数情報に基づいて広告情報及びショッピング情報を遮断するか否かを決定することにより、ユーザにより正確な情報を提供できる。
【００３９】
本発明は、モバイル端末のディスプレイ画面を分割するか、ポップアップ画面を構成してコンテンツの出力を維持しながら、キーワード関連の情報を出力することにより、ユーザが現在見ているコンテンツと所望の情報を共に見られる利便さを提供できる。
【００４０】
本発明は、コンテンツのうちにモバイル端末画面に表示されている一部に関するキーワードを抽出し、モバイル端末のディスプレイ画面に表示されているコンテンツの一部が変更される場合、変更されたコンテンツの一部に関するキーワードを抽出して情報出力部から出力された分割画面又はポップアップ画面にキーワード関連の情報を出力することにより、ユーザが気になる情報を別途に検索せず、リアルタイムで所望の情報をより便利に提供できる。
【００４１】
本発明は、ユーザがモバイル端末上で提供しているドラッグ機能を活用して単語、文章、イメージなどをドラッグしてコピー、翻訳のような機能関数を行う領域に広告又はショッピングなどのような情報を呼び出せる機能を提供してキーワードを抽出しなくても所望の情報が見られる方法を提供できる。
【００４２】
本発明は、ユーザの検索部の検索機能を利用し、ユーザが直接入力するキーワード又はカテゴリーのような情報入力及び２種類のキーワードの組み合わせのようなキュレーションなどを介して検索範囲を縮小できるので、検索しようとする情報の正確性を向上させる方法を提供できる。
【図面の簡単な説明】
【００４３】
【図１】従来技術に係るモバイル広告画面の一例を示す図である。
【図２】本発明の一実施形態に係るモバイル広告提供システムの構成図である。
【図３】本発明の一実施形態に係るモバイル広告提供システムの全体構成図である。
【図４】本発明の一実施形態に係るモバイル端末のディスプレイ情報表示ボタンを示す図である。
【図５】本発明の一実施形態に係るモバイル端末の情報表示ボタンの構成図である。
【図６】本発明の一実施形態に係る広告情報ランプ及びショッピング情報ランプを示す図である。
【図７】本発明の一実施形態に係る情報出力部から出力された分割画面を示す図である。
【図８】本発明の一実施形態に係るモバイル広告提供システムナビゲーションの構成図である。
【図９】本発明の一実施形態に係る広告プラットフォームシステムナビゲーションのカテゴリー構成図である。
【図１０】本発明の一実施形態に係る情報検索中継サーバの構成図である。
【図１１】本発明の一実施形態に係るモバイル広告提供方法の流れを示す順序図である。
【発明を実施するための形態】
【００４４】
このような目的を達成するために、本発明の一実施形態に係るモバイル広告提供システムは、情報表示ボタンを備えるモバイル端末と、前記モバイル端末で駆動され、前記モバイル端末に表示されるコンテンツを認知し、前記コンテンツを分析して前記コンテンツと関連するキーワード情報を抽出するキーワード抽出部と、前記キーワード抽出部から抽出したキーワード情報を情報検索中継サーバに伝送するキーワード伝送部と、前記情報表示ボタンの入力に応答して前記情報検索中継サーバに前記キーワード関連の情報を要請し、前記情報検索中継サーバから前記キーワード関連の情報を受信する情報受信部と、前記情報受信部で受信した前記キーワード関連の情報を前記モバイル端末のディスプレイ画面に情報を出力する情報出力部と、前記情報出力部から出力された情報を管理する情報管理部と、を含んで構成される。
【００４５】
また、前記情報出力部から出力された情報は、広告情報又はショッピング情報であり、前記情報表示ボタンは、広告表示ボタン及びショッピング表示ボタンからなるもので構成されることができる。
【００４６】
更に、前記モバイル端末は、上端ベゼル又は下端ベゼル部分に広告情報ランプ及びショッピング情報ランプを備え、前記情報出力部は、出力された情報が広告情報か、ショッピング情報かを前記広告情報ランプ及び前記ショッピング情報ランプにそれぞれ表示するように制御することを含んで構成される。
【００４７】
また、前記情報検索中継サーバは、前記広告情報及びショッピング情報を広告主から直接入力を受け、前記入力された広告情報及びショッピング情報は、前記情報出力部から出力される表示情報及びリンク情報を含んで構成される。
【００４８】
更に、前記情報出力部は、前記モバイル端末のディスプレイ画面を分割するか、ポップアップ画面を構成して前記コンテンツの出力を維持しながら、前記キーワード関連の情報を出力することを含んで構成される。
【００４９】
また、前記キーワード抽出部は、前記コンテンツのうちに前記モバイル端末のディスプレイ画面に表示されている一部に関するキーワードを抽出し、前記モバイル端末のディスプレイ画面に表示されている前記コンテンツの一部が変更される場合、変更されたコンテンツの一部に関するキーワードを抽出し、前記情報出力部から出力された前記分割画面又はポップアップ画面に前記キーワード関連の情報を出力することを含んで構成される。
【００５０】
更に、前記ユーザ検索部は、前記抽出されたキーワードに対してユーザが検索できる機能であり、前記コンテンツから抽出されたキーワードとキーワードに割り当てられた情報カテゴリー、カテゴリーと連結されて情報を組み合わせたキュレーション情報、他のユーザにより定義されたキーワードなどを検索できる機能を含んで構成される。
【００５１】
（実施例）
以下、本発明の好適な実施形態を添付の図面を参照して詳細に説明する。本発明を説明する上で関連する公知の構成又は機能に関する具体的な説明が本発明の要旨を曖昧にするおそれがあると判断される場合には、その詳細な説明は省略する。また、本発明の実施形態を説明する上で具体的な数値は実施形態に過ぎず、これにより発明の範囲が制限されない。
【００５２】
本発明に係るモバイル広告提供システムは、中央処理処置（ＣＰＵ）及びメモリ（Ｍｅｍｏｒｙ、記憶装置）を備え、インターネットなどの通信網を介して他の端末と接続可能なサーバの形態で構成されることができる。しかし、本発明が中央処理処置及びメモリなどの構成により限定されるわけではない。また、本発明に係るモバイル広告提供システムは、物理的に１つの装置で構成されてもよく、複数の装置に分散された形態で実現されてもよいため、本発明はこのような物理的な装置の構成によって限定されない。
【００５３】
図２は、本発明の一実施形態に係るモバイル広告提供システムの構成図である。
【００５４】
本発明に係るモバイル広告提供システムは、情報表示ボタン１１６を備え、情報表示ボタン１１６の操作に応答して現在の画面に提供されるコンテンツと関連する広告情報を表示できるようにする。
【００５５】
モバイル端末１１０は、情報表示ボタン１１６及びコンテンツを認知するシステムを備えており、モバイル端末１１０はサーバとしての役割を果たしている情報中継サーバに情報を伝送することができる。
【００５６】
図３は、本発明の一実施形態に係るモバイル広告提供システムの全体構成図である。
【００５７】
モバイル端末１１０は、情報表示ボタン１１６を備える。
【００５８】
情報表示ボタン１１６は、広告表示ボタン及びショッピング表示ボタンからなる。モバイル端末１１０の基本ディスプレイ画面ではない別途のディスプレイが上面又は側面に配置され、別途のディスプレイは、広告表示ボタン及びショッピング表示ボタンを含む情報表示ボタン１１６を出力し、ユーザのタッチ入力を受信する。
【００５９】
情報表示ボタン１１６は、上面又は側面に位置する別途のディスプレイからなることができ、モバイル端末１１０の上面又は側面に配置されて押圧できるボタンであり得る。
【００６０】
キーワード抽出部１１１は、モバイル端末１１０のキーワード抽出エンジンと情報中継サーバで駆動され、モバイル端末１１０に表示されるコンテンツを認知してコンテンツを分析し、コンテンツと関連するキーワード情報を抽出する。
【００６１】
モバイル端末１１０に表示されるコンテンツは、モバイルに表示され得るあらゆるサイト又はアプリケーションであり得、ユーザが見ているサイトやアプリケーションに含まれているテキスト又はイメージを分析して関連するキーワード情報を抽出する。
【００６２】
キーワード伝送部１１２は、キーワード抽出部１１１から抽出したキーワード情報を情報検索中継サーバ１２０に伝送する。
【００６３】
キーワード抽出部１１１は、モバイル端末１１０を介して情報検索中継サーバ１２０と連動して駆動され、モバイル端末１１０に表示されるコンテンツを認知して情報検索中継サーバに伝送し、情報検索中継サーバでコンテンツを分析して抽出されたキーワードをキーワード伝送部１１２を介してモバイル端末に伝送する。
【００６４】
モバイル端末１１０に表示されるコンテンツは、モバイルに表示され得るあらゆるサイト又はアプリケーションであり得、ユーザが見ているサイトやアプリケーションに含まれているテキスト又はイメージを分析して情報検索中継サーバ１２０のキーワード抽出部１１１から関連するキーワード情報を抽出する。
【００６５】
キーワード伝送部１１２は、キーワード抽出部１１１から抽出したキーワード情報を情報検索中継サーバ１２０を介してモバイル端末１１０に伝送する。
【００６６】
情報受信部１１３は、情報表示ボタン１１６の入力に応答して情報検索中継サーバ１２０にキーワード関連の情報を要請し、情報検索中継サーバ１２０からキーワード関連の情報を受信する。
【００６７】
情報検索中継サーバ１２０は、広告情報及びショッピング情報を広告主から直接入力を受け、入力された広告情報及びショッピング情報は、情報出力部１１４から出力される表示情報及びリンク情報を含むことができる。
【００６８】
情報検索中継サーバ１２０は、広告及びショッピングなどのような特定情報を検索する検索システムを保有しており、広告を執行する広告主に、より容易にモバイルユーザがコンテンツと関係のある広告を閲覧できるように連係するシステムを提供してより効率的に広告マーケティングを提供し、広告主が提供する広告の情報をもってユーザに提供できる。前記特定情報は、旅行情報、科学技術情報、食べ物情報、ニュース情報、芸能情報、映画情報及びメディア情報を含むことができる。
【００６９】
また、グーグル（登録商標）、バイドゥ（登録商標）など多様なショッピングモールなどのような広告をしようとする広告主は、情報検索中継サーバ１２０に広告情報と広告に該当するキーワードを登録してユーザが呼び出す際に該当広告をユーザに伝達して多数のユーザに広告を提供できる。また、ＳＮＳ広告にも活用されることができ、提携（ａｆｆｉｌｉａｔｉｏｎ）プラットフォームと連動して利用者から広告手数料の収益を創出できる方法にも活用できる。
【００７０】
情報検索中継サーバ１２０は、広告主に入力された広告情報及びショッピング情報を検証する情報検証部を含み、情報検証部は、広告主が入力した表示情報とリンク情報が一致するか否かを確認する。また、リンク情報がマルウェアを含んでいるか否かを確認する。
【００７１】
情報検索中継サーバ１２０に広告主が直接広告及びショッピング情報を入力すると、多数に検索又は露出されるために広告しようとする製品又は情報とは異なるキーワードや説明が入っている広告及びショッピング情報を入力できる。このような誤った情報を検証するための手段が必要であり、情報検証部でこれを検証する。また、リンク情報にマルウェアが含まれているか否かを確認し、ユーザのモバイル端末１１０にマルウェア及びウイルスが感染しないように検証できる。
【００７２】
情報出力部１１４は、情報受信部１１３で受信したキーワード関連の情報をモバイル端末１１０のディスプレイ画面に出力する。
【００７３】
情報出力部１１４は、モバイル端末１１０のディスプレイ画面を分割するか、ポップアップ画面を構成してコンテンツの出力を維持しながら、キーワード関連の情報を出力できる。
【００７４】
キーワード抽出部１１１は、コンテンツのうちにモバイル端末１１０の画面に表示されている一部に関するキーワードを抽出し、モバイル端末１１０のディスプレイ画面に表示されているコンテンツの一部が変更される場合、変更されたコンテンツの一部に関するキーワードを抽出して情報出力部１１４から出力された分割画面又はポップアップ画面にキーワード関連の情報を出力できる。
【００７５】
キーワード抽出部１１１は、ユーザが検索窓に入力したキーワードを抽出し、ユーザが検索窓に入力したキーワードによって抽出されたコンテンツを分析してキーワードを抽出し、情報出力部１１４から出力された分割画面又はポップアップ画面にキーワード関連の情報を出力できる。
【００７６】
キーワード抽出部１１１は、ユーザがコンテンツのうちに一部をドラッグした情報に関するキーワードを抽出し、ユーザがドラッグした情報の一部が変更される場合、前記変更された情報を分析してキーワードを抽出し、情報出力部から出力された分割画面又はポップアップ画面にキーワード関連の情報を出力できる。
【００７７】
情報出力部１１４は、ユーザが見ている画面は維持した状態で広告情報又はショッピング情報をディスプレイ画面を分割するか、ポップアップ画面に出力でき、ユーザが見ているコンテンツが変更される度に分割された画面やポップアップ画面に変更されたコンテンツに応じて広告情報又はショッピング情報がアップデートされ、リアルタイムで広告情報又はショッピング情報を見ることができる。
【００７８】
モバイル端末１１０は、広告情報ランプ及びショッピング情報ランプを備え、情報出力部１１４は、出力された情報が広告情報か、ショッピング情報かを広告情報ランプ及びショッピング情報ランプにそれぞれ表示するように制御できる。
【００７９】
情報出力部１１４から出力された情報は、広告情報とショッピング情報を別に出力でき、ユーザが見ている情報が広告か、ショッピングかが広告情報ランプ及びショッピング情報ランプに表示され、ユーザがより便利に現在見ている情報が広告情報か、ショッピング情報かを迅速に判断できる。
【００８０】
情報出力部１１４に出力される広告情報及びショッピング情報は、広告主が情報検索中継プラットフォームを介して直接入力でき、広告主は、ユーザに広告又はショッピング情報を提供するキーワード、イメージなどを含む表示情報と広告又はショッピング情報に移動できるリンク情報も共に提供できる。
【００８１】
情報管理部１１５は、情報出力部１１４から出力された情報を管理する。
【００８２】
情報管理部１１５は、出力された広告情報及びショッピング情報のうちに削除しようとする情報をユーザが選択して削除し、削除理由を入力してもらうことができ、入力された削除理由及び削除回数情報に基づいて広告情報及びショッピング情報を遮断するか否かを決定できる。
【００８３】
ユーザは、情報出力部１１４から出力された広告情報又はショッピング情報を選択して削除でき、削除理由を入力できる。削除理由にユーザが所望する情報又は製品と出力された情報とが一致しない場合、それに該当する広告情報及びショッピング情報は遮断されることができる。また、削除回数もこのような遮断するか否かを判断する基礎となり、削除回数が多い場合、ユーザが所望しない情報である可能性があるため、優先順位が落ち、ユーザに優先的に見られない資料になり得る。
【００８４】
情報制御システムは、キーワード抽出部１１１、キーワード伝送部１１２、情報受信部１１３、情報出力部１１４、情報管理部１１５を含む。
【００８５】
情報表示ボタン１１６は、ユーザが広告やショッピングなどのような特定情報の閲覧を所望する場合、既存のコンテンツ画面をそのまま維持しながら、新しい画面（レイヤ）を開き、広告やショッピングなどのような特定情報を別途に見ることができるか、広告やショッピングなどのような特定情報を活性化できるようにモバイル端末１１０に取り付けられる。
【００８６】
情報表示ボタン１１６は、広告やショッピングなどのような特定情報を導出する方法においてユーザが所望する際にいつでも該当内容を呼び出すためのハードウェア的な方法とソフトウェア的な方法がある。
【００８７】
ハードウェア的な方法は、モバイル端末１１０の左側、右側又は上端の特定領域にボタンを取り付けることができ、特定領域はベゼル部分又は枠であり得る。該当ボタンの場合、オン（ｏｎ）／オフ（ｏｆｆ）の機能を含んでユーザが情報表示ボタン１１６を押圧してオン状態へ切り替える際に広告やショッピングなどのような特定情報を見ることができる。情報表示ボタン１１６のクリック時に現れ得る広告やショッピングなどのような特定情報はユーザが現在見ているモバイル画面を基づいて情報表示ボタン１１６と連動するシステムが該当画面を分析できるようにし、これと関連する情報を提供できる。また、利用者が該当画面の一部のテキストやイメージなどを選択した後、ボタンをクリックして導出される広告などの範囲を細かく導き出すことができる。
【００８８】
情報表示ボタン１１６のクリック時に直ちに広告やショッピングなどのような特定情報が見えるようにすることもできるが、該当情報に対する範囲を正確に選択できるナビゲーション領域が見えるようにすることができる。ナビゲーション領域には、広告やショッピングなどのような特定情報の分野又はカテゴリーなどの内容を含んでユーザが選択できるように構成し、ナビゲーションの位置はモバイル画面上の左側、右側又は上端に位置するようにすることができる。また、ユーザが既存のコンテンツを利用している途中、広告やショッピングなどのような特定情報を呼び出すボタンを押圧してオン状態を活性化する場合、コンテンツ領域上において新しい画面（レイヤ）形態で該当コンテンツと関連する広告やショッピングなどのような特定情報が見られる。
【００８９】
ハードウェア的な機能を装着した情報表示ボタン１１６でユーザが広告やショッピングなどのような特定情報を選択する方法以外に、ソフトウェア的な情報表示ボタン１１６で広告やショッピングなどのような特定情報を選択する方法はモバイル端末１１０の下端ホームボタンの左、右側領域や上端ベゼル部分にボタンを位置させるか、枠や裏部分を２回叩くなどのアクションにより特定情報及び広告を呼び出せる。
【００９０】
更に他のソフトウェア的な方法又はＵＩ／ＵＸ的な方法では、ユーザが利用するモバイル端末１１０を左右又は上下に２回又はそれ以上の回数にわたって振ることにより、広告やショッピングなどのような特定情報を呼び出すことができ、モバイル端末１１０を１回又はそれ以上叩く方法で特定情報を呼び出せる。また、ネイバー（ＮＡＶＥＲ）（登録商標）やグーグル（登録商標）などのような検索エンジンアプリの上端又は下端などのような特定領域にボタンを追加することができ、広告画面を駆動できるアプリをインストールすることができ、スマートフォンのキーボードに広告ボタンを追加することができる。
【００９１】
その他のソフトウェア的な方法では、モバイル端末上で提供しているドラッグ機能を活用して単語、文章、イメージなどをドラッグしてコピー、翻訳のような機能関数を行う領域に広告又はショッピングなどのような情報を呼び出せる機能を提供して自動でキーワードを抽出しなくてもユーザが直接所望の情報を呼び出せる。
【００９２】
また、コンテンツを閲覧している途中、ユーザがディスプレイ画面において一方向へスライドする場合、広告又はショッピングなどのような情報を呼び出す画面をディスプレイして選択する方法又は、ディスプレイ画面においてモバイル上端で上から下へ降りてくるディスプレイ画面又はモバイルディスプレイの下端で下から上へスライドして出るディスプレイ画面上で広告又はショッピングなどのような情報を呼び出せるようにする方法がある。
【００９３】
情報制御システムは、モバイル端末１１０内で広告やショッピングなどのような特定情報を呼び出せるように動作するものであって、ユーザのモバイル端末１１０に常時、情報制御システムが駆動され、ユーザが利用中のコンテンツを情報制御システムが認知し、認知したコンテンツを情報検索中継サーバ１２０に伝送する。このとき、ユーザはモバイル端末からキーワードを抽出できる情報を共に受けて検索中継サーバには該当コンテンツ（ｗｅｂ ｕｒｌ、ｉｍａｇｅ、ｄｏｃｕｍｅｎｔなど）の内容を抽出できるようにする。キーワードを抽出できる情報は、通常ユーザの端末のキーワード検索窓を活用してキーワードの検索を受けて要請する方式と、カテゴリー及びキュレーション方法により抽出範囲を縮小して通常の内容基盤の分析技法によってキーワードを抽出する方法を用いる。抽出されたキーワードは、情報検索中継サーバに格納され、これをユーザモバイル端末１１０に伝送して端末の内部に格納され、情報制御システムでこれを用いることができる。
【００９４】
情報制御システムは、ユーザが利用しているコンテンツの文字及びイメージに対して情報検索中継サーバから導出された主要キーワードが伝送されて、ユーザがハードウェア的な方法又はソフトウェア的な方法で情報制御システムを呼び出す際に導出されたキーワードと関連する広告やショッピングなどのような特定情報をユーザ画面に見せることができる。
【００９５】
モバイル端末１１０内の情報制御システムは常時作動するか、ハードウェア的な方法又はソフトウェア的な方法で活性化され、ユーザモバイル端末１１０の情報を分析するシステムであり得る。ユーザが利用しているコンテンツを分析し、これを基づいて主要キーワードを導出する役割が導き出されたキーワードを情報検索中継サーバ１２０に伝送できる。また、情報制御システムは、広告やショッピングなどのような特定情報を呼び出すボタンを２回又はそれ以上のクリック、モバイル端末１１０の上下振り、モバイル端末１１０左右振りなどのような特定のアクションによってユーザのモバイル画面上で強制的に導出される既存の広告又はショッピング情報などを除去できる。
【００９６】
例えば、情報制御システムは、ユーザがモバイルを介して、(1)グーグル（登録商標）など検索サービスを利用時に検索を試みたキーワードを基準に広告を導出して見せることができ、導出された内容から追加的に特定のキーワードを収集してこれと関連する広告を見せることができる。又は(2)ユーザが見ているコンテンツのキーワード及びイメージを選択し、ボタンをクリックすると、そのキーワードと関連する広告又はショッピング情報を見ることができる。また、(3)ユーザがモバイルを介して特定メディアのコンテンツを見ている途中、広告表示ボタンをクリックする場合、該当コンテンツの主要キーワードを整理して見せるか、該当コンテンツと関連している広告を見せることができ、(4)ユーザが特定のショッピングモールを利用する場合、ショッピングと関連するボタンをクリックして同一又は類似する商品を検索し、価格比較やキュレーションサービスを利用できる。
【００９７】
コンテンツの利用時に露出された広告によってコンテンツに集中できない場合には、広告やショッピングなどのような特定情報を呼び出すボタンをクリック又は２回以上のクリック、モバイル端末１１０の上下振り、モバイル端末１１０の左右振りなどのような特定のアクションによって広告を削除できる。
【００９８】
ユーザが情報制御システムを呼び出して導出されたキーワードを選択し、キーワードと関連する特定情報、広告及びショッピング情報が情報検索中継サーバ１２０から伝送されてユーザに伝達でき、ユーザが情報制御システムを呼び出して特定コンテンツの広告領域の削除を要請する場合、広告領域を削除し、既存のコンテンツを持続的にユーザに提供できる。
【００９９】
情報検索中継サーバ１２０は、伝送されたキーワードに基づいて広告、ショッピング（商品）などのような特定情報を検索し、ユーザモバイル端末１１０に伝達してユーザがハードウェア的な方法である情報表示ボタン１１６のクリック又はソフトウェア的な方法の情報表示ボタン１１６のクリックでモバイル端末１１０の特定のアクションなどによって呼び出し時に該当情報をユーザに見せることができる。
【０１００】
情報検索中継サーバ１２０は、(1)ユーザが特定画面で特定キーワードやバナーなどをクリックした場合、(2)画面内のキーワードを選択後にボタンをクリックした場合、(3)イメージがある画面の場合などの多様な場合を分析してユーザが所望する特定情報又は広告を露出できるようにする。
【０１０１】
情報検索中継サーバ１２０は、広告やショッピングなどのような特定情報を検索する検索システムを保有しており、広告を執行する広告主に、より容易にモバイルユーザがコンテンツと関係のある広告を閲覧できるように連係するプラットフォームを提供してより効率的に広告マーケティングを提供し、広告主が提供する広告の情報をもってユーザに提供できる。また、グーグル（登録商標）、バイドゥ（登録商標）などの検索サービスや各種コンテンツ、各種ショッピングモールなどのような広告をしようとする広告主は、情報検索中継サーバ１２０に広告情報と広告に該当するキーワードを登録してユーザが呼び出し時に該当広告をユーザに伝達して多数のユーザに広告を提供できる。
【０１０２】
従来の広告プラットフォームの場合、複数の段階を経て広告を行うため、広告の費用対効果が低いが、本発明技術の場合、広告主が直接広告を登録して直ちにユーザに伝達できるため、安い広告費に対して迅速な広告効果が得られる。また、これまでの広告やショッピングサービスがネイバー（登録商標）、グーグル（登録商標）、アマゾン（登録商標）、アリババ（登録商標）など専門のインターネット企業の独占的な占有物であったが、本発明によって新たな影響力を有するプラットフォーム運営者が現れることができ、プラットフォームの運営は誰が行っても三星（サムスン）（登録商標）、アップル（登録商標）などのようなハードウェアメーカーとの契約によりハードウェアメーカーも収益を創出できる。
【０１０３】
また、ソーシャルネットワークプラットフォーム（ＳＮＳ）と本広告プラットフォームが連動して他のユーザに広告及びショッピングなど特定の情報を提供しようとする利用者に広告プラットフォームから提携ＩＤ（ａｆｆｉｌｉａｔｅ ｉｄ）が付与され、提供しようとする情報が伝達され、これをＳＮＳ提携（ａｆｆｉｌｉａｔｅ）サービスと連動して利用者が使用するＳＮＳプラットフォームを介して他のユーザに伝達された広告及びショッピングなど特定の情報を提供できる。これは提供を受けるユーザが該当情報を利用時に広告プラットフォームに登録した広告主が提供する収益部分に対する手数料の一定比率をＳＮＳ提携（ａｆｆｉｌｉａｔｅ）サービスを介して利用者に配分する収益モデルを提供することである。
【０１０４】
更に他の機能として、情報制御システムはＢｌｕｅｔｏｏｔｈ（登録商標）、ＷＩＦＩ（登録商標）のような近距離無線通信環境で動作する機能を内包している。従来の広告技術は、Ｏ２Ｏ技術との融合のためにオフライン環境で特定の商店を通るか、訪問時にユーザが要請しなくてもユーザの端末に自動でオフライン広告を露出してユーザの不便さをもたらしたり、又は特定商店でのみ広告又はショッピングのような特定情報を受け取ろうとする時には制御する手段がない。このような短所を補強する機能を情報制御システムはユーザに提供している。
【０１０５】
情報制御システムにおいて、前述した機能のようにオフライン内で広告を受信しないように削除する機能を提供すると同時に、特定商店でのみ広告の送出を受けられるように設定できる。
【０１０６】
即ち、オフライン商店を訪問する際に広告が立ち上がる場合、前述した削除方式と同一の方法を利用して広告を削除することができ、特定商店を訪問する際には情報表示ボタン１１６を作動させて該当商店の広告及びショッピング、特定情報を受け取ることができる。
【０１０７】
このとき、該当オフライン商店主は、該当関連する情報を事前に情報検索中継サーバ１２０に広告又はショッピングなどの特定の情報を登録し、これをユーザに提供する。
【０１０８】
図４は、本発明の一実施形態に係るモバイル端末１１０のディスプレイ情報表示ボタン１１６を示す図である。
【０１０９】
情報表示ボタン１１６は、広告表示ボタン及びショッピング表示ボタンからなる。モバイル端末１１０の基本ディスプレイ画面ではない別途のディスプレイが上面又は側面に配置され、別途のディスプレイは広告表示ボタン及びショッピング表示ボタンを含む情報表示ボタン１１６を出力し、ユーザのタッチ入力を受信する。
【０１１０】
情報表示ボタン１１６は、上面又は側面に位置する別途のディスプレイからなることができ、モバイル端末１１０の上面又は側面に配置されて押圧できるボタンであり得る。
【０１１１】
別途のディスプレイは、広告表示ボタン及びショッピング表示ボタンだけでなく、ショッピングと関連するカートボタン又はその他にユーザがボタンの機能に対して設定できる。
【０１１２】
図５は、本発明の一実施形態に係るモバイル端末１１０の情報表示ボタン１１６の構成図を示す図である。
【０１１３】
モバイル端末１１０は、情報表示ボタン１１６を備えており、モバイル端末１１０は、サーバとしての役割を果たしている情報中継サーバに情報を伝送できる。
【０１１４】
ユーザが利用するモバイル端末１１０に広告やショッピングなどのような特定情報が見られるようにしたボタンを取り付け得る。モバイル端末１１０の左側、右側又は上端の特定領域にボタンを取り付け得て、特定領域はベゼル部分又は枠であり得る。該当ボタンの場合、オン（ｏｎ）／オフ（ｏｆｆ）の機能を含んでユーザが情報表示ボタン１１６を押圧してオン状態へ切り替える際に広告やショッピングなどのような特定情報を見ることができる。情報表示ボタン１１６をクリック時に現れ得る広告やショッピングなどのような特定情報はユーザが現在見ているモバイル画面を基づいて情報表示ボタン１１６と連動するシステムが該当画面を分析できるようにし、これと関連する情報を提供できる。
【０１１５】
ボタンを備える方法以外にユーザが利用するモバイル端末１１０に広告やショッピングなどのような特定の情報が見られる方法として、モバイル端末を駆動しているＯＳシステム上のドラッグ機能を活用し、単語、文章、イメージをドラッグする際に呼び出す機能関数、例えばコピー、共有、翻訳などといった機能関数のような役割を果たす広告呼び出し関数、ショッピング呼び出し関数をソフトウェア的に駆動して広告やショッピングなどのような特定の情報を呼び出して関連情報を提供できる。
【０１１６】
情報表示ボタン１１６は、ユーザが広告やショッピングなどのような特定情報の閲覧を所望する場合、既存のコンテンツ画面をそのまま維持しながら、新しい画面（レイヤ）を開いて広告やショッピングなどのような特定情報を別途に見られるか、広告やショッピングなどのような特定情報を活性化できるようにモバイル端末１１０に取り付けられる。
【０１１７】
図６は、本発明の一実施形態に係る広告情報ランプ及びショッピング情報ランプを示す図である。
【０１１８】
モバイル端末１１０は、広告情報ランプ及びショッピング情報ランプを備え、情報出力部１１４は、出力された情報が広告情報か、ショッピング情報かを広告情報ランプ及びショッピング情報ランプにそれぞれ表示するように制御できる。
【０１１９】
情報出力部１１４から出力された情報は、広告情報とショッピング情報を別に出力することができ、ユーザが見ている情報が広告か、ショッピングかを広告情報ランプ及びショッピング情報ランプに表示されてユーザがより便利に現在見ている情報が広告情報か、ショッピング情報かを迅速に判断できる。
【０１２０】
広告情報を見ている途中、ショッピング情報が見たい場合、ショッピング情報ランプをタッチしてショッピング情報を見ることができる。
【０１２１】
例えば、ユーザが広告情報を見ており、広告情報にランプが点灯したが、ショッピング情報に変えて見たくなり、ショッピング情報ランプをタッチすると、ショッピング情報を直ちに見ることができる。もし、広告情報を見ているが、広告情報が見たくない場合、広告情報ランプをタッチすると、広告情報がそれ以上提供されない。また、ショッピング情報の閲覧を止めようとする場合にも同様にショッピング情報ランプをタッチすると、ユーザが見ていたショッピング情報の閲覧を止めることができる。広告情報ランプ及びショッピング情報ランプは、現在ユーザが広告情報を見ているか、ショッピング情報を見ているかをランプで提供するだけでなく、広告情報ランプ及びショッピング情報ランプをタッチすると、オフ／オン機能を提供できる。
【０１２２】
図７は、本発明の一実施形態に係る情報出力部１１４から出力された分割画面を示す図である。
【０１２３】
情報出力部１１４は、情報受信部１１３で受信したキーワード関連の情報をモバイル端末１１０のディスプレイ画面に情報を出力する。
【０１２４】
情報出力部１１４は、モバイル端末１１０のディスプレイ画面を分割するか、ポップアップ画面を構成してコンテンツの出力を維持しながら、キーワード関連の情報を出力できる。
【０１２５】
キーワード抽出部１１１は、コンテンツのうちにモバイル端末１１０の画面に表示されている一部に関するキーワードを抽出し、モバイル端末１１０のディスプレイ画面に表示されているコンテンツの一部が変更される場合、変更されたコンテンツの一部に関するキーワードを抽出して情報出力部１１４から出力された分割画面又はポップアップ画面にキーワード関連の情報を出力できる。
【０１２６】
情報出力部１１４は、ユーザが見ている画面は維持した状態で広告情報又はショッピング情報をディスプレイ画面を分割するか、ポップアップ画面に出力することができ、ユーザが見ているコンテンツが変更される度に分割された画面やポップアップ画面に変更されたコンテンツに応じて広告情報又はショッピング情報がアップデートされ、リアルタイムで広告情報又はショッピング情報を見ることができる。
【０１２７】
例えば、ユーザが多様な時計が掲示されているブログ投稿メッセージを見ている場合、Ａ時計がユーザのモバイル端末１１０の画面に表示される時は分割又はポップアップされた画面にはＡ時計と関連するショッピング情報が出力され、下にスクロールしてＢ時計がユーザの画面に表示される場合、直ちにＢ時計に関するショッピング情報が出力され得るようにすることができる。これはユーザがＡ時計を見て価格の検索又は仕様の検索を別途に行わなくても分割画面又はポップアップ画面でリアルタイムで情報を見ることができることから、時間を節約でき、別途に検索する面倒さを解消できる。
【０１２８】
キーワード抽出部１１１は、ユーザが検索窓に入力したキーワードを抽出し、ユーザが検索窓に入力したキーワードによって抽出された前記コンテンツを分析してキーワードを抽出し、前記情報出力段階で出力された前記分割画面又はポップアップ画面に前記キーワード関連の情報を出力できる。
【０１２９】
例えば、ユーザが検索エンジンに「ジーンズ」というキーワードを入力した場合、キーワード抽出部は「ジーンズ」に関するキーワードを抽出してコンテンツを表示でき、また検索エンジンで「ジーンズ」というキーワードを検索したとき、抽出された検索結果画面をキーワード抽出部１１１が分析して分析された結果を使用してリアルタイムで広告情報又はショッピング情報を見ることができる。
【０１３０】
キーワード抽出部１１１は、ユーザがコンテンツのうちに一部をドラッグした情報に関するキーワードを抽出し、ユーザがドラッグした情報の一部が変更される場合、前記変更された情報を分析してキーワードを抽出し、情報出力部から出力された分割画面又はポップアップ画面にキーワード関連の情報を出力できる。
【０１３１】
ドラッグした情報は単語、文章、イメージ、動画、ｕｒｌなどであり得、キーワード抽出部は、モバイル端末上で提供しているドラッグ機能を活用し、単語、文章、イメージなどをドラッグしてコピー、翻訳のような機能関数を行う領域に広告又はショッピングなどのような情報を呼び出せる機能を提供して、自動でキーワードを抽出しなくてもユーザが直接所望の情報を呼び出せる。
【０１３２】
例えば、ユーザがモバイル端末上でコンテンツを見ている途中、所望の情報をドラッグすると、ドラッグした情報に対して通常コピー、切り取り又は翻訳などのような選択できる機能が提供される。このような機能に情報表示ボタンのような機能をするアイコン又はボタンを提供してユーザがコンテンツにドラッグしたとき、自動で広告情報又はショッピング情報に直ちに移動できる機能を提供できる。
【０１３３】
図８は、本発明の一実施形態に係るモバイル広告提供システムナビゲーションの構成図である。
【０１３４】
モバイル端末１１０の情報表示ボタン１１６をクリックした時に直ちに広告やショッピングなどのような特定情報が見られるようにすることもでき、該当情報に対する範囲を正確に選択できるナビゲーション領域が見られるようにすることもできる。ナビゲーション領域には、広告やショッピングなどのような特定情報の分野又はカテゴリーなどの内容を含んでユーザが選択できるように構成し、ナビゲーションの位置は、モバイル画面上の左側、右側又は上端に位置するようにすることができる。また、ユーザが既存のコンテンツを利用している途中、広告やショッピングなどのような特定情報を呼び出すボタンを押圧してオン状態を活性化する場合、コンテンツ領域上において新しい画面（レイヤ）形態で該当コンテンツと関連する広告やショッピングなどのような特定情報が見られる。
【０１３５】
ナビゲーション領域に表示されるカテゴリーは、旅行、書籍、医療、マート、チケットなどのショッピング品目であってもよく、グーグル（登録商標）、ネイバー（登録商標）、ダウム（登録商標）などのような検索エンジンであってもよい。また、オークション、ｅｂａｙ（登録商標）.ｃｏｍ、Ｔｍａｌｌ（登録商標）.ｃｏｍ、ａｍａｚｏｎ（登録商標）.ｃｏｍなどのような特定のショッピングモールであることもでき、ユーザが所望するカテゴリーに設定することができる。
【０１３６】
従来は、多数の広告主がグーグル（登録商標）、バイドゥ（登録商標）、アップルマーケットなどのサービス提供企業に広告を登録すると、来訪者が広告を見るようになっている形態であり、これは広告主が多数のサービス企業に広告を登録しなければならず、広告を登録していないサービス企業でネットサーフィンをする場合は広告の露出ができず、広告をサービスする企業以外の個体は広告を提供できないという短所があった。しかし、本発明のモバイル広告提供システムは、コンテンツ提供者はもちろん、広告仲介業者、オンラインサービス提供業者の誰も広告露出に対する参加をしていないにも拘わらず、来訪者が広告を見ることができ、広告を見たい人は該当サービス企業の広告陳列と関係なく関連する広告を見ることができる。そして、広告主が全く知らないコンテンツ提供企業のサービス時にも広告が露出されることができ、あらゆるスマートフォンメーカーとの提携によってボタン又はセンサなどの機能の追加だけでもプラットフォームを利用でき、ＯＳ開発者のシステム構築への参加と広告プラットフォーム事業者の広告登録プラットフォームの実現のみ必要であるので、簡潔であるという長所がある。これは、世界中が１つの同一の広告プラットフォームを用いるようになり、広告主の広告執行が容易になり、来訪者は所望の関連する広告をショッピングするように見られるという効果を提供できる。そして、ニュース又は商品、テキスト情報などのコンテンツはもちろん、ＹｏｕＴｕｂｅ（登録商標）、個人放送映像のようなあらゆるコンテンツに映像登録者が該当コンテンツの内容と関連する広告や商品などを広告プラットフォームを介して接続し、来訪者が広告をクリックする行動、商品を購入する行動、ＡＰＰ（アプリ）をダウンロードするなどの行動（ａｃｔｉｏｎ）につながる場合、コンテンツ登録者が広告費のうちに一部を収益として受け取れるプラットフォームを提案している。また、ソーシャルネットワークプラットフォーム（ＳＮＳ）と本広告プラットフォームが連動して他のユーザに広告及びショッピングなど特定の情報を提供しようとする利用者に広告プラットフォームから提携ＩＤ（ａｆｆｉｌｉａｔｅ ｉｄ）を付与され、提供しようとする情報を受け取り、これをＳＮＳ提携（ａｆｆｉｌｉａｔｅ）サービスと連動して利用者が使用するＳＮＳプラットフォームを介して他のユーザに受け取った広告及びショッピングなど特定の情報を提供できる。これは提供を受けたユーザが該当情報を利用時に広告プラットフォームに登録した広告主が提供する収益部分に対する手数料の一定比率をＳＮＳ提携（ａｆｆｉｌｉａｔｅ）サービスを介して利用者に配分する収益モデルを提供するものである。
【０１３７】
また、ＹｏｕＴｕｂｅ（ユーチューブ）（登録商標）、グーグル（登録商標）検索結果、アマゾン（登録商標）、タオバオ（登録商標）、フェイスブック（登録商標）などのコンテンツページなどで物理的な広告やショッピングボタンをクリックすると、基本的に広告や商品などが見られ、上端など特定部位に広告登録又は商品接続などのリンクをクリックして本人の広告や商品などを登録できる。登録時には露出対象、国家、言語、地域、露出／クリック当たりの金額などを設定できる。広告又は商品などの登録や接続時にはクレジットカードやペイパル（登録商標）などを介して一定金額に予め預置しておくことができ、あらゆる製造メーカーの端末にボタン又はタッチセンサのような機能を構築することにより、プラットフォーム運営者が広告の誘致や露出に必要な営業を行う必要がなく、世界中の誰でも活用できる広告とショッピングプラットフォームを構築して運営できるという長所がある。
【０１３８】
図９は、本発明の一実施形態に係る広告プラットフォームシステムナビゲーションのカテゴリー構成図である。
【０１３９】
モバイル端末１１０の情報表示ボタン１１６をクリック時に直ちに広告、ショッピング、共有などのような特定情報が見られるようにすることもでき、該当情報に対する範囲を正確に選択できるナビゲーション領域が見られるようにすることもできる。
【０１４０】
ナビゲーション領域には、現在ユーザが見ているコンテンツに対して情報を共有するフェイスブック（Ｆａｃｅｂｏｏｋ）（登録商標）、ツイッター（Ｔｗｉｔｔｅｒ）（登録商標）、インスタグラム（ｉｎｓｔａｇｒａｍ）（登録商標）などのようなソーシャルネットワークサービス（ＳＮＳ、Ｓｏｃｉａｌ Ｎｅｔｗｏｒｋ Ｓｅｒｖｉｃｅ）又はカカオトーク（Ｋａｋａｏ ｔａｌｋ）（登録商標）、ライン（Ｌｉｎｅ）（登録商標）、ｗｈａｔｓａｐｐ（ワッツアップ）（登録商標）などのようなメッセンジャーと疎通する機能を含み、これを他のユーザと共有できるサービスを提供できる。
【０１４１】
また、現在ユーザが見ているコンテンツに対してダウムカフェ（ｄａｕｍ ｃａｆｅ）（登録商標）、ネイバーカフェ（ｎａｖｅｒ ｃａｆｅ）（登録商標）、フリッカー（Ｆｌｉｃｋｒ）（登録商標）、ＴＥＤ、Ｂｉａｄｕバイドゥ（百度）（登録商標）など掲示板に共有することができ、モバイル端末１１０のアドレス帳に格納されているイメール又は電話番号に伝送することができ、モバイル端末１１０のメモ帳、カレンダなどのような記録できるアプリケーションに格納することができる。
【０１４２】
また、ナビゲーションカテゴリーの構成において、ユーザによってカテゴリーを追加でき、既存に使用しているアプリケーションを追加して呼び出した後に使用するか、情報検索中継サーバ１２０で提供するサービスを追加で要請して利用できる。
【０１４３】
例えば、チャットのような特定の機能的な要素を用いようとするとき、ユーザが主に用いるチャットアプリケーション（ネイトオン、ライン（登録商標）、カカオトーク（登録商標）、ｓｋｙｐｅ（登録商標）など）をナビゲーションカテゴリー領域に追加するか、又は情報検索中継サーバ１２０で提供するチャットサービスをダウンロードして端末にインストールして用いる方法がある。
【０１４４】
情報検索中継サーバ１２０で広告主の広告を繋ぐ機能以外に端末の広告プラットフォームで利用されるサービスをアップグレード及びチャット、電子決済サービス、オフィスなどのような機能を提供することを含んでいる。
【０１４５】
図１０は、本発明の一実施形態に係る情報検索中継サーバ１２０の構成図である。
【０１４６】
情報検索中継サーバ１２０は、広告やショッピングなどのような特定情報を検索する検索システムを保有しており、広告を執行する広告主に、より容易にモバイルユーザがコンテンツと関係のある広告を閲覧できるように連係するプラットフォームを提供してより効率的に広告マーケティングを提供し、広告主が提供する広告の情報をもってユーザに提供できる。
【０１４７】
また、ＳＮＳと連動できるＳＮＳ提携（ａｆｆｉｌｉａｔｅ）サービスを提供してユーザが他の利用者に広告及びショッピングなどのような特定情報を広報することにより、広告主から手数料の収益を受けることができる。
【０１４８】
三星（サムスン）（登録商標）、エルジー（ＬＧ）（登録商標）、アップル（登録商標）、シャオミ（登録商標）、ファーウェイ（登録商標）のような世界中の各通信機器メーカーの端末は、情報検索中継サーバ１２０に接続されることができ、世界中のあらゆる広告主、商品販売者又は特定情報提供者は、情報検索中継サーバ１２０に広告又は特定情報を掲示すれると、世界中のあらゆる端末ユーザがプラットフォームで提供する広告又はショッピングのような特定情報を見ることができる。
【０１４９】
このように広告、商品販売者、特定情報提供者などは、１つのチャネル形態で多数のユーザに広報が可能な効果を提供できる。
【０１５０】
また、このようなチャネルはＳＮＳのように活用することができるため、ユーザが他のユーザとコミュニティを構築でき、本人が閲覧したコンテンツにメモを残したり、閲覧したコンテンツを格納して資料化でき、他人との意見交換により情報を共有できるコミュニティとしても活用が可能である。また、ユーザが直接広告主又はショッピング業者と疎通が可能であり、サービス利用と商品購入を行うことができ、これに対する相談を行うこともできる。ユーザは広告の広報役割を受注し、直接ａｆｆｉｌｉａｔｅとしての役割を果たすことができるなど既存とは異なるＳＮＳ環境を構築できるという効果を提供できる。
【０１５１】
図１１は、本発明の一実施形態に係るモバイル広告提供方法の流れを示す順序図である。
【０１５２】
情報表示ボタン１１６を備えるモバイル端末１１０で広告情報を提供する方法において、情報表示ボタン１１６は、広告表示ボタン及びショッピング表示ボタンからなる。モバイル端末１１０の基本ディスプレイ画面ではない別途のディスプレイが上面又は側面に配置され、別途のディスプレイは広告表示ボタン及びショッピング表示ボタンを含む情報表示ボタン１１６を出力し、ユーザのタッチ入力を受信する。
【０１５３】
情報表示ボタン１１６は、上面又は側面に位置する別途のディスプレイからなることができ、モバイル端末１１０の上面又は側面に配置されて押圧できるボタンであり得る。
【０１５４】
段階Ｓ１１１はモバイル端末１１０で駆動され、モバイル端末１１０に表示されるコンテンツを認知し、コンテンツを分析してコンテンツと関連するキーワード情報を抽出する。
【０１５５】
モバイル端末１１０に表示されるコンテンツは、モバイルに表示され得るあらゆるサイト又はアプリケーションであり得、ユーザが見ているサイトやアプリケーションに含まれているテキスト又はイメージを分析して関連するキーワード情報を抽出する。
【０１５６】
段階Ｓ１１２は、段階Ｓ１１１で抽出したキーワード情報を情報検索中継サーバ１２０に伝送する。
【０１５７】
段階Ｓ１１３は、情報表示ボタン１１６の入力に応答して情報検索中継サーバ１２０にキーワード関連の情報を要請し、情報検索中継サーバ１２０からキーワード関連の情報を受信する。
【０１５８】
情報検索中継サーバ１２０は、広告情報及びショッピング情報を広告主から直接入力を受け、入力された広告情報及びショッピング情報は、段階Ｓ１１４で出力される表示情報及びリンク情報を含むことができる。
【０１５９】
情報検索中継サーバ１２０は、広告やショッピングなどのような特定情報を検索する検索システムを保有しており、広告を執行する広告主に、より容易にモバイルユーザがコンテンツと関係のある広告を閲覧できるように連係するシステムを提供して、より効率的に広告マーケティングを提供し、広告主が提供する広告の情報をもってユーザに提供できる。また、グーグル（登録商標）、バイドゥ（登録商標）、ショッピングモールなどのような広告をしようとする広告主は情報検索中継サーバ１２０に広告情報と広告に該当するキーワードを登録してユーザが呼び出し時に該当広告をユーザに伝達して多数のユーザに広告を提供できる。
【０１６０】
情報検索中継サーバ１２０は、広告主により入力された広告情報及びショッピング情報を検証する段階を含み、情報を検証する段階は、広告主が入力した表示情報とリンク情報が一致するか否かを確認する。また、リンク情報がマルウェアを含んでいるか否かを確認する。
【０１６１】
情報検索中継サーバ１２０に広告主が直接広告及びショッピング情報を入力すると、多数に検索又は露出されるために広告しようとする製品又は情報とは異なるキーワードや説明が入っている広告及びショッピング情報を入力できる。このような誤った情報を検証するための手段が必要であり、情報を検証する段階でこれを検証する。また、リンク情報にマルウェアが含まれているか否かを確認し、ユーザのモバイル端末１１０にマルウェア及びウイルスが感染しないように検証できる。
【０１６２】
段階Ｓ１１４は、段階Ｓ１１３で受信したキーワード関連の情報をモバイル端末１１０のディスプレイ画面に情報を出力する。
【０１６３】
段階Ｓ１１４は、モバイル端末１１０のディスプレイ画面を分割するか、ポップアップ画面を構成してコンテンツの出力を維持しながら、キーワード関連の情報を出力できる。
【０１６４】
段階Ｓ１１１は、コンテンツのうちにモバイル端末１１０の画面に表示されている一部に関するキーワードを抽出し、モバイル端末１１０のディスプレイ画面に表示されているコンテンツの一部が変更される場合、変更されたコンテンツの一部に関するキーワードを抽出して、段階Ｓ１１４で出力された分割画面又はポップアップ画面にキーワード関連の情報を出力できる。
【０１６５】
段階Ｓ１１４は、ユーザが見ている画面は維持した状態で広告情報又はショッピング情報をディスプレイ画面を分割するか、ポップアップ画面に出力でき、ユーザが見ているコンテンツが変更される度に分割された画面やポップアップ画面に変更されたコンテンツに応じて広告情報又はショッピング情報がアップデートされ、リアルタイムで広告情報又はショッピング情報を見ることができる。
【０１６６】
モバイル端末１１０は、広告情報ランプ及びショッピング情報ランプを備え、情報出力部１１４は、出力された情報が広告情報か、ショッピング情報かを広告情報ランプ及びショッピング情報ランプにそれぞれ表示するように制御できる。
【０１６７】
段階Ｓ１１４で出力された情報は、広告情報とショッピング情報を別に出力でき、ユーザが見ている情報が広告か、ショッピングかが広告情報ランプ及びショッピング情報ランプに表示され、ユーザがより便利に現在見ている情報が広告情報か、ショッピング情報かを迅速に判断できる。
【０１６８】
段階Ｓ１１４に出力される広告情報及びショッピング情報は、広告主が情報検索中継プラットフォームを介して直接入力でき、広告主は、ユーザに広告又はショッピング情報を示すためのキーワード、イメージなどを含む表示情報と広告又はショッピング情報に移動できるリンク情報も共に提供できる。
【０１６９】
段階Ｓ１１５は、段階Ｓ１１４で出力された情報を管理する。
【０１７０】
段階Ｓ１１５は、出力された広告情報及びショッピング情報のうちに削除しようとする情報をユーザが選択して削除し、削除理由の入力を受けることができ、入力された削除理由及び削除回数情報に基づいて広告情報及びショッピング情報を遮断するか否かを決定できる。
【０１７１】
ユーザは、段階Ｓ１１４で出力された広告情報又はショッピング情報を選択して削除でき、削除理由を入力できる。削除理由にユーザが所望する情報又は製品と出力された情報とが一致しない場合、それに該当する広告情報及びショッピング情報は遮断されることができる。また、削除回数もこのような遮断するか否かを判断する基礎となり、削除回数が多い場合、ユーザが所望しない情報である可能性があるため、優先順位から離れて、ユーザに優先的に見られない資料になり得る。本発明の一実施形態に係るモバイル広告提供システムは、多様なコンピュータ手段を介して実行され得るプログラム命令形態で実現され、コンピュータ読み取り可能媒体に記録されることができる。前記コンピュータ読み取り可能媒体は、プログラム命令、データファイル、データ構造などを単独で又は組み合わせて含むことができる。前記媒体に記録されるプログラム命令は、本発明のために特別に設計され、構成されたものであってもよく、コンピュータソフトウェア当業者に公知となって使用可能なものであってもよい。コンピュータ読み取り可能記録媒体の例としては、ハードディスク、フロッピーディスク及び磁気テープのような磁気媒体（ｍａｇｎｅｔｉｃ ｍｅｄｉａ）、ＣＤ-ＲＯＭ、ＤＶＤのような光記録媒体（ｏｐｔｉｃａｌ ｍｅｄｉａ）、フロプティカルディスク（ｆｌｏｐｔｉｃａｌ ｄｉｓｋ）のような磁気-光媒体（ｍａｇｎｅｔｏ-ｏｐｔｉｃａｌ ｍｅｄｉａ）、及びロム（ＲＯＭ）、ラム（ＲＡＭ）、フラッシュメモリなどのようなプログラム命令を格納して行うように特別に構成されたハードウェア装置が含まれる。プログラム命令の例としては、コンパイラにより作られるもののような機械語コードだけでなく、インタープリタなどを用いてコンピュータによって実行され得る高級言語コードを含む。前述したハードウェア装置は、本発明の動作を行うために１つ以上のソフトウェアモジュールとして作動するように構成されることができ、その逆も同様である。
【０１７２】
以上のように本発明は、たとえ限定された実施形態と図面により説明されていても、本発明は前記実施形態に限定されるものではなく、本発明が属する分野において通常の知識を有する者であれば、このような記載から多様な修正及び変形が可能である。
【０１７３】
従って、本発明の範囲は、説明された実施形態に限定されて定められてはならず、後述する特許請求の範囲だけでなく、この特許請求の範囲と均等なものなどにより定められるべきである。
【産業上の利用可能性】
【０１７４】
本発明は、モバイル広告提供システムに関し、情報表示ボタンを備え、情報表示ボタンの操作に応答して現在の画面に提供されるコンテンツと広告情報を表示するモバイル広告提供システム技術に関する。
【図１】
2020173855.tif 000003
【図２】
2020173855.tif 000004
【図３】
2020173855.tif 000005
【図４】
2020173855.tif 000006
【図５】
2020173855.tif 000007
【図６】
2020173855.tif 000008
【図７】
2020173855.tif 000009
【図８】
2020173855.tif 000010
【図９】
2020173855.tif 000011
【図１０】
2020173855.tif 000012
【図１１】
2020173855.tif 000013